(57)【特許請求の範囲】
【請求項１】
中継ノード（ＲＮ）が最初に電源投入されるとき、前記中継ノード（ＲＮ）が、前記ＲＮの無線フレーム境界と基地局（Ｄｏｎｏｒ-ｅＮＢ）の無線フレーム境界との同期を設定して、ＬＴＥに規定された送信周期に従ってシステム情報を受信することと、
前記システム情報が更新されたとき、前記Ｄｏｎｏｒ-ｅＮＢが専用シグナルを介して前記システム情報をＲＮに知らせ、前記ＲＮが前記専用シグナルからシステム情報を読み取ることとを含み、
これにより、前記ＲＮがシステム情報を受信することと送信することとの衝突を避ける
ことを特徴とする中継ノード（ＲＮ）がシステム情報を受信する方法。
【請求項２】
前記Ｄｏｎｏｒ-ｅＮＢが専用シグナルを介して前記システム情報をＲＮに知らせ、前記ＲＮが前記専用シグナルからシステム情報を読み取るステップは、前記Ｄｏｎｏｒ-ｅＮＢがブロードキャスト制御チャネル（ＢＣＣＨ）の修正周期内に前記システム情報を含む前記専用シグナルを送信し、前記ＲＮが前記専用シグナルを受信した後で、前記専用シグナルからシステム情報を読み取り、次のＢＣＣＨの修正周期の開始境界から、前記専用シグナルに基づいてシステム情報を更新することを含む
ことを特徴とする請求項１に記載の方法。
【請求項３】
前記専用シグナルは、更新部分のシステム情報のみを含み、または、更新部分のシステム情報と、未更新部分のシステム情報とを含む
ことを特徴とする請求項１または２に記載の方法。
【請求項４】
前記専用シグナルは、ユーザー端末（ＵＥ）を指定する専用シグナルまたはＲＮを指定する専用シグナルである
ことを特徴とする請求項１または２に記載の方法。
【請求項５】
システム情報を受信する中継ノード（ＲＮ）であって、中継ノード（ＲＮ）が最初に電源投入されるとき、前記中継ノード（ＲＮ）が、前記ＲＮの無線フレーム境界と基地局（Ｄｏｎｏｒ-ｅＮＢ）の無線フレーム境界との同期を設定して、ＬＴＥに規定された送信周期に従ってシステム情報を受信し、
前記ＲＮが受信部とシステム情報読み取り部とを含み、
前記受信部は、Ｄｏｎｏｒ-ｅＮＢにより送信された専用シグナルを受信し、
前記システム情報読み取り部は、前記受信部により受信された前記専用シグナルから更新されたシステム情報を読み取り、
これにより、前記ＲＮがシステム情報を受信することと送信することとの衝突を避ける
ことを特徴とするシステム情報を受信する中継ノード（ＲＮ）。
【請求項６】
前記システム情報読み取り部が前記専用シグナルから更新されたシステム情報を読み取った後、次のブロードキャスト制御チャネル（ＢＣＣＨ）の修正周期の開始境界から、システム情報を更新する更新部をさらに含む
ことを特徴とする請求項５に記載の中継ノード。
【発明の詳細な説明】
【技術分野】
【０００１】
本発明は無線通信技術分野に関し、特に、システム情報を受信及び送信する中継ノード（Ｒｅｌａｙ-Ｎｏｄｅ： ＲＮと略称する）、基地局（Ｄｏｎｏｒ−ｅＮＢ）及び方法に関する。
【背景技術】
【０００２】
広帯域、高速移動アクセスへの増加する要求を満たすために、第三世代パートナーシッププロジェクト（Ｔｈｉｒｄ Ｇｅｎｅｒａｔｉｏｎ Ｐａｒｔｎｅｒｓｈｉｐ Ｐｒｏｊｅｃｔ：３ＧＰＰと略称する）がロングタームエボリューションアドバンスト（Ｌｏｎｇ-Ｔｅｒｍ Ｅｖｏｌｕｔｉｏｎ ａｄｖａｎｃｅｄ：ＬＴＥ-Ａｄｖａｎｃｅｄと略称する）標準を提案した。ＬＴＥ-Ａｄｖａｎｃｅｄは、周波数スペクトルの利用効率を向上させて、システム容量を増やすことなどの目的を達するために、ロングタームエボリューション（Ｌｏｎｇ-Ｔｅｒｍ Ｅｖｏｌｕｔｉｏｎ：ＬＴＥと略称する）に対して、ＬＴＥの核心を保留し、この基礎の上に、一連の技術を採用して周波数領域、空間領域に対する拡張を行う。無線中継（Ｒｅｌａｙ）技術は、すなわち、ＬＴＥ-Ａｄｖａｎｃｅｄで使用される技術の一つであり、セルの範囲を広げること、通信における死角領域を低減すること、負荷を均等にすること、ホットエリアのサービスを伝送すること、ユーザー端末（Ｕｓｅｒ Ｅｑｕｉｐｍｅｎｔ：ＵＥと略称する）の発信パワーを省くことを目的としている。図１に示すように、複数の新しい中継ノードが既存の基地局とＵＥとの間に追加され、これらの新規ＲＮは、Ｄｏｎｏｒ-ｅＮＢとの間で無線で接続され、伝送ネットワークとの間で有線で接続されていない。従って、ダウンリンクデータは、まずＤｏｎｏｒ-ｅＮＢに到達し、それから、ＲＮに伝達され、ＲＮからＵＥへさらに伝送される。アップリンクデータでは、データ伝送プロセスが逆になる。この方法によって、アンテナとＵＥとの距離が近くなり、ＵＥのリンク品質を改善でき、それによって、システムの周波数スペクトル効率とユーザーデータレートを向上させることができる。
【０００３】
ＵＥは、システム情報を介してネットワーク側の情報を把握する。システム情報はネットワーク側がＵＥに対してコンフィグレーションを行う重要な手段である。ＬＴＥシステムにおいて、システム情報は、マスター情報ブロック（Ｍａｓｔｅｒ Ｉｎｆｏｒｍａｔｉｏｎ Ｂｌｏｃｋ：ＭＩＢと略称する）と、システム情報ブロック１（Ｓｙｓｔｅｍ Ｉｎｆｏｒｍａｔｉｏｎ Ｂｌｏｃｋ １：ＳＩＢ１と略称する）と、他のシステムブロックとの三つの部分に分けられている。
【０００４】
他のシステム情報ブロックは、例えば、システム情報ブロック２（Ｓｙｓｔｅｍ Ｉｎｆｏｒｍａｔｉｏｎ Ｂｌｏｃｋ ２：ＳＩＢ２と略称する）、・・・、システム情報ブロック１１（Ｓｙｓｔｅｍ Ｉｎｆｏｒｍａｔｉｏｎ Ｂｌｏｃｋ１１：ＳＩＢ１１と略称する）などのようなＳＩＢ１以外の他のシステム情報ブロックである。将来的にシステム情報をさらに送信する必要があれば、システム情報が増される可能性がある。
【０００５】
ＭＩＢは、ダウンリンクシステム帯域幅と、物理ＨＡＲＱインディケータチャネル（Ｐｈｙｓｉｃａｌ ＨＡＲＱ Ｉｎｄｉｃａｔｏｒ Ｃｈａｎｎｅｌ、ＰＨＩＣＨと略称する）コンフィギュレーション情報と、システムフレーム番号（Ｓｙｓｔｅｍ Ｆｒａｍｅ Ｎｕｍｂｅｒ：ＳＦＮと略称する）との三つの部分を含む。物理ブロードキャストチャネル（Ｐｈｙｓｉｃａｌ Ｂｒｏａｄｃａｓｔ Ｃｈａｎｎｅｌ：ＰＢＣＨと略称する）は、固定的な時間周波数リソースを占拠し、すなわち、時間領域では、サブフレーム０内の二番目のスロット上の最初の４つの直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：ＯＦＤＭと略称する）シンボルを占拠し、周波数領域では、中心周波数の周囲の６つのリソースブロック（Ｒｅｓｏｕｒｃｅ Ｂｌｏｃｋ：ＲＢと略称する）（合計７２個のサブキャリアである）を占拠する。ＭＩＢは、１０ｍｓごとに送信され、ＭＩＢの送信周期としての４０ｍｓごとに一回変更される。
【０００６】
ＳＩＢは無線リソース制御（Ｒａｄｉｏ Ｒｅｓｏｕｒｃｅ Ｃｏｎｔｒｏｌ：ＲＲＣと略称する）層の概念であって、異なるＳＩＢは、異なるタイプの情報で構成される。現在、ＬＴＥシステムで使用されるＳＩＢの番号は、既にＳＩＢ１、ＳＩＢ２から、ＳＩＢ１１にまで及んでおり、引き続き増える可能性がある。ＬＴＥにおいて、異なる情報タイプと、ＵＥによるシステム情報の受信のタイムディレーとに応じて、システム情報が異なるＳＩＢに分類及び分布される。
【０００７】
ＳＩＢ１はセルアクセス情報と他のＳＩＢのスケジューリング情報とを含む。ＳＩＢ１は時間領域で偶数フレームの５番目のサブフレームで固定的に送信され、周波数領域で動的にスケジューリングされる。ＳＩＢ１は２０ｍｓごとに送信され、ＳＩＢ１の送信周期としての８０ｍｓごとに一回変更される。
【０００８】
ＳＩＢ２は公共共有チャネル情報を含む。ＳＩＢ３はサービングセル（ｓｅｒｖｉｎｇ ｃｅｌｌ）のセル再選択情報を含む。ＳＩＢ４は隣接周波数内セルのセル再選択情報を含む。ＳＩＢ５は隣接周波数内セルのセル再選択情報を含む。ＳＩＢ６は隣接ユニバーサル地上無線アクセスネットワーク（Ｕｎｉｖｅｒｓａｌ Ｔｅｒｒｅｓｔｒｉａｌ Ｒａｄｉｏ Ａｃｃｅｓｓ Ｎｅｔｗｏｒｋ：ＵＴＲＡＮと略称する）セルのセル再選択情報を含む。ＳＩＢ７はＧＳＭ（登録商標）/ＥＤＧＥ無線アクセスネットワーク（ＧＳＭ（登録商標）/ＥＤＧＥ Ｒａｄｉｏ Ａｃｃｅｓｓ Ｎｅｔｗｏｒｋ：ＧＥＲＡＮと略称する）周波数におけるセル再選択情報を含む。ＳＩＢ８は隣接ＣＤＭＡ２０００セルのセル再選択情報を含む。ＳＩＢ９はホーム基地局識別子（Ｈｏｍｅ ＮｏｄｅＢ Ｉｄｅｎｔｉｔｙ：ＨＮＢＩＤと略称する）を含む。ＳＩＢ１０は主要な地震津波警告システム（Ｅａｒｔｈｑｕａｋｅ ａｎｄ Ｔｓｕｎａｍｉ Ｗａｒｎｉｎｇ Ｓｙｓｔｅｍ：ＥＴＷＳと略称する）情報を含む。ＳＩＢ１１は二次的なＥＴＷＳ情報を含む。以上のＳＩＢがシステム情報（Ｓｙｓｔｅｍ Ｉｎｆｏｒｍａｔｉｏｎ：ＳＩと略称する）に動的にマッピングされ、メッセージ（ｍｅｓｓａｇｅ）の方式でキャリーされる。各ＳＩが一つの時間ウィンドウ（ＳＩ ｗｉｎｄｏｗ）に対応し、そのＳＩウィンドウは、異なるＳＩメッセージを区分するため、及びＵＥがＳＩウィンドウ内において対応するＳＩメッセージを受信するのを補助するために用いられる。ＳＩとＳＩＢのマッピング関係、ＳＩのＳＩウィンドウの長さ及びＳＩの送信周期は、全て、スケジューリング情報としてＳＩＢ１に含まれる。各ＳＩＢは対応するＳＩにマッピングされ、ネットワーク側はＳＩメッセージを単位として送信し、ＵＥ側は、対応するＳＩウィンドウ内のＳＩを受信し、且つ対応するＳＩＢを取得する。各ＳＩＢは、時間領域では、対応するＳＩウィンドウに位置し、周波数領域では、動的にスケジューリングされる。
【０００９】
既存のＬＴＥシステムにおけるＵＥの互換性を保証するために、ＲＮは上記送信周期に従ってシステム情報をＵＥへ伝送する。Ｄｏｎｏｒ-ｅＮＢ及びＲＮの間の無線接続と、ＲＮ及びＵＥの間の無線接続とが同じ周波数帯で動作し、かつ、Ｄｏｎｏｒ-ｅＮＢの無線フレーム境界がＲＮの無線フレーム境界と同期された場合、ＲＮは、同じ時間周波数リソースでＤｏｎｏｒ-ｅＮＢからのシステム情報を受信する必要があるばかりではなく、ＵＥへシステム情報を送信する必要もある。ＲＮのアンテナのアイソレーション(Isolation)レベルがＲＮの同時の送受信を保証できないために、ＲＮが同じ時間周波数リソースでシステム情報を送受信すると互いに衝突する。図２に示すように、各正方形は、時間シーケンスにおける伝送時間間隔（Ｔｒａｎｓｍｉｓｓｉｏｎ Ｔｉｍｅ Ｉｎｔｅｒｖａｌ ：ＴＴＩと略称する）の幅（１ｍｓ）を表す。各無線フレーム（１０ｍｓ）は１０個のサブフレーム（１ｍｓ）を含み、サブフレームは、それぞれ、０〜９の番号が付される。Ｄｏｎｏｒ-ｅＮＢの無線フレーム境界とＲＮの無線フレーム境界とは既に同期されている。サブフレーム０とサブフレーム５において、ＲＮは、Ｄｏｎｏｒ-ｅＮＢからシステム情報を受信する必要があるだけではなく、ＵＥへシステム情報を送信する必要もあるため、ＲＮにおいてシステム情報間の衝突が引き起こされる。
【発明の概要】
【発明が解決しようとする課題】
【００１０】
ＲＮが、同時に、Ｄｏｎｏｒ-ｅＮＢからのシステム情報を受信し、ＵＥへシステム情報を送信することで衝突が引き起こされる問題を避けるための技術的な問題を解決するために、本発明は、システム情報を受信及び送信する中継ノード、基地局及び方法を提供することを目的とする。
【課題を解決するための手段】
【００１１】
上記技術的な問題を解決するために、本発明は、中継ノード（ＲＮ）がシステム情報を受信及び送信する方法を提供した。当該方法は、
基地局（Ｄｏｎｏｒ-ｅＮＢ）又は前記中継ノード（ＲＮ）自体が前記ＲＮの無線フレーム境界と前記Ｄｏｎｏｒ-ｅＮＢの無線フレーム境界とのオフセットを設定することで、前記ＲＮの無線フレーム境界を前記Ｄｏｎｏｒ-ｅＮＢの無線フレーム境界からずらすことと、
前記ＲＮがロングタームエボリューション（ＬＴＥ）に規定された送信周期に従ってシステム情報を受信及び送信することとを含み、
これにより、前記ＲＮがシステム情報を受信することと送信することとの衝突を避ける。
【００１２】
前記方法において、前記Ｄｏｎｏｒ-ｅＮＢが前記オフセットを設定した後、前記方法は、前記Ｄｏｎｏｒ-ｅＮＢがシステム情報又は専用シグナルを介して前記オフセットをＲＮに知らせることをさらに含む。
【００１３】
前記方法において、前記Ｄｏｎｏｒ-ｅＮＢがシステム情報を介して前記オフセットをＲＮに知らせるステップは、以下の方式のいずれかの一つで実現する。
方式一、前記Ｄｏｎｏｒ-ｅＮＢが既存のシステム情報ブロックにＲＮ無線フレーム境界とＤｏｎｏｒ-ｅＮＢ無線フレーム境界とのオフセットを表すフィールドを加え、前記オフセットを当該フィールドに書き込み、かつ、前記システム情報ブロックを前記ＲＮへ送信することで、前記オフセットを前記ＲＮに知らせる。
方式二、前記Ｄｏｎｏｒ-ｅＮＢが前記オフセットを、ＲＮ無線フレーム境界とＤｏｎｏｒ-ｅＮＢ無線フレーム境界とのオフセットを伝送するのに用いられる新しいシステム情報ブロックに書き込み、かつ、前記新しいシステム情報ブロックを前記ＲＮへ送信することで、前記オフセットを前記ＲＮに知らせる。
【００１４】
前記方法において、前記Ｄｏｎｏｒ-ｅＮＢが前記新しいシステム情報ブロックをＲＮへ送信する前に、前記方法は、前記Ｄｏｎｏｒ-ｅＮＢが前記ＲＮへ前記新しいシステム情報ブロックのスケジューリング情報を含むシステム情報ブロック１（ＳＩＢ１）を送信し、前記スケジューリング情報は、システム情報ブロックマッピング情報、システム情報ウィンドウの長さ及び送信周期を含み、前記ＲＮが前記スケジューリング情報に基づいて前記新しいシステム情報ブロックを受信することをさらに含む。
【００１５】
前記方法において、前記Ｄｏｎｏｒ-ｅＮＢが専用シグナルを介して前記オフセットをＲＮに知らせるステップは、以下の方式のいずれかの一つで実現する。
方式一、前記Ｄｏｎｏｒ-ｅＮＢが既存の専用シグナルにＲＮ無線フレーム境界とＤｏｎｏｒ-ｅＮＢ無線フレーム境界とのオフセットを表すフィールドを加え、前記オフセットを当該フィールドに書き込み、かつ、前記専用シグナルを前記ＲＮへ送信することで、前記オフセットを前記ＲＮに知らせる。
方式二、前記Ｄｏｎｏｒ-ｅＮＢが前記オフセットを、ＲＮ無線フレーム境界とＤｏｎｏｒ-ｅＮＢ無線フレーム境界とのオフセットを伝送するのに用いられる新しい専用シグナルに書き込み、かつ、前記新しい専用シグナルを前記ＲＮへ送信することで、前記オフセットを前記ＲＮに知らせる。
【００１６】
前記方法において、前記ＲＮ自体が前記オフセットを設定した後、前記方法は、前記ＲＮが専用シグナルを介して前記オフセットを前記Ｄｏｎｏｒ-ｅＮＢに知らせ、及び、前記Ｄｏｎｏｒ-ｅＮＢが前記専用シグナルを受信した後、前記オフセットに基づいて次のスケジューリングタイミングを確定することをさらに含む。
【００１７】
前記方法において、前記ＲＮが専用シグナルを介して前記オフセットをＤｏｎｏｒ-ｅＮＢに知らせるステップは、以下の方式のいずれかの一つで実現する。
方式一、前記ＲＮが既存の専用シグナルにＲＮ無線フレーム境界とＤｏｎｏｒ-ｅＮＢ無線フレーム境界とのオフセットを表すフィールドを加え、前記オフセットを当該フィールドに書き込み、かつ、前記専用シグナルを前記Ｄｏｎｏｒ-ｅＮＢへ送信することで、前記オフセットを前記Ｄｏｎｏｒ-ｅＮＢに知らせる。
方式二、前記ＲＮが前記オフセットを、ＲＮ無線フレーム境界とＤｏｎｏｒ-ｅＮＢ無線フレーム境界とのオフセットを伝送するのに用いられる新しい専用シグナルに書き込み、かつ、前記新しい専用シグナルを前記Ｄｏｎｏｒ-ｅＮＢへ送信することで、前記オフセットを前記Ｄｏｎｏｒ-ｅＮＢに知らせる。
【００１８】
前記方法において、前記専用シグナルとは、ユーザー端末（ＵＥ）を指定する専用シグナル又はＲＮを指定する専用シグナルである。
【００１９】
上記技術的な問題を解決するために、本発明は、中継ノード（ＲＮ）がシステム情報を受信する方法をさらに提供した。当該方法は、
前記ＲＮが前記ＲＮの無線フレーム境界と基地局（Ｄｏｎｏｒ-ｅＮＢ）の無線フレーム境界との同期を設定し、前記ＲＮが最初に電源投入されるとき、ＬＴＥに規定された送信周期に従ってシステム情報を送信することと、
前記システム情報が更新されたとき、前記Ｄｏｎｏｒ-ｅＮＢが専用シグナルを介して前記システム情報をＲＮに知らせ、前記ＲＮが前記専用シグナルからシステム情報を読み取ることとを含み、
これにより、前記ＲＮがシステム情報を受信することと送信することとの衝突を避ける。
【００２０】
前記方法において、前記Ｄｏｎｏｒ-ｅＮＢが専用シグナルを介して前記システム情報をＲＮに知らせ、前記ＲＮが前記専用シグナルからシステム情報を読み取るステップは、前記Ｄｏｎｏｒ-ｅＮＢがブロードキャスト制御チャネル（ＢＣＣＨ）の修正周期内に前記システム情報を含む前記専用シグナルを送信し、前記ＲＮが前記専用シグナルを受信した後で、前記専用シグナルからシステム情報を読み取り、次のＢＣＣＨの修正周期の開始境界から、前記専用シグナルに基づいてシステム情報を更新することを含む。
【００２１】
前記方法において、前記専用シグナルは、更新部分のシステム情報のみを含み、または、更新部分のシステム情報と、未更新部分のシステム情報とを含むように設定される。
【００２２】
前記方法において、前記専用シグナルとは、ユーザー端末（ＵＥ）を指定する専用シグナルまたはＲＮを指定する専用シグナルである。
【００２３】
上記技術的な問題を解決するために、本発明は、システム情報を受信及び送信する中継ノード（ＲＮ）をさらに提供する。前記中継ノードは受信部と送信部を含む。
前記ＲＮの無線フレームの境界と前記基地局の無線フレームの境界にはオフセットが存在する。
前記受信部は、ＬＴＥに規定された送信周期及び基地局の無線フレーム情報に基づいて、前記基地局により送信されたシステム情報を受信し、
前記送信部は、ＬＴＥに規定された送信周期及び前記ＲＮの無線フレーム情報に基づいて、ユーザー端末（ＵＥ）へシステム情報を送信し、
これにより、前記ＲＮがシステム情報を受信することと送信することの衝突を避ける。
【００２４】
上記技術的な問題を解決するために、本発明は、システム情報を受信する中継ノード（ＲＮ）をさらに提供する。前記ＲＮの無線フレーム境界と基地局（Ｄｏｎｏｒ-ｅＮＢ）の無線フレーム境界とが同期される。前記ＲＮは受信部とシステム情報読み取り部を含む。
前記受信部は、Ｄｏｎｏｒ-ｅＮＢにより送信された専用シグナルを受信し、
前記システム情報読み取り部は、前記受信部により受信された前記専用シグナルから更新されたシステム情報を読み取り、
これにより、前記ＲＮがシステム情報を受信することと送信することとの衝突を避ける。
【００２５】
前記中継ノードは、前記システム情報読み取り部が前記専用シグナルから更新されたシステム情報を読み取った後、次のブロードキャスト制御チャネル（ＢＣＣＨ）の修正周期の開始境界から、システム情報を更新する更新部をさらに含む。
【００２６】
上記技術的な問題を解決するために、本発明は、システム情報を送信する基地局をさらに提供する。前記基地局は、判断部と送信部を含む。
前記判断部は、前記システム情報が更新されたと判断したとき、前記システム情報の更新を前記送信部に知らせ、
前記送信部は、システム情報が更新されたとき、前記中継ノードへ更新されたシステム情報を含む専用シグナルを送信し、
これにより、前記ＲＮがシステム情報を受信することと送信することとの衝突を避ける。
【発明の効果】
【００２７】
本発明は、ＲＮが同時にシステム情報を受信することと送信することとの衝突の問題を良く解決でき、ＲＮが同時に同じ周波数帯域を占拠して受信及び送信できないことによる影響を充分に考慮し、ＲＮがシステム情報を受信するサブフレームを、ＲＮがシステム情報を送信するサブフレームからずらさせることで、または、システム情報の伝送方法を変えることで、ＲＮがシステム情報を受信することと送信することとの衝突を避ける。
【図面の簡単な説明】
【００２８】
【図１】無線中継技術を利用するネットワーク構造図である。
【図２】ＲＮが同時にシステム情報を受信することと送信することとの衝突を示す図である。
【図３】本発明の実施例一を示す図である。
【図４】本発明の実施例二を示す図である。
【図５】本発明の実施例三を示す図である。
【図６】本発明の実施例四を示す図である。
【発明を実施するための形態】
【００２９】
本発明において、三つの技術的なスキームを含む。
【００３０】
技術的なスキーム一、Ｄｏｎｏｒ-ｅＮＢがＲＮのためにＲＮの無線フレーム境界のオフセットを設定することで、当該ＲＮの無線フレーム境界とＤｏｎｏｒ-ｅＮＢの無線フレーム境界とをずらさせる。ＲＮがＬＴＥに規定された送信周期に従ってシステム情報を受信及び送信する。
【００３１】
技術的なスキーム二、ＲＮがＲＮ自体の無線フレーム境界のオフセットを設定して、当該ＲＮの無線フレーム境界とＤｏｎｏｒ-ｅＮＢの無線フレーム境界とをずらさせる。ＲＮがＬＴＥに規定された送信周期に従ってシステム情報を受信及び送信する。
【００３２】
技術的なスキーム三、ＲＮの無線フレーム境界とＤｏｎｏｒ-ｅＮＢの無線フレーム境界とが同期するように設定され、ＲＮが最初に電源投入されるとき、ＬＴＥに規定された送信周期に従ってシステム情報を読み取る。システム情報が更新されたとき、Ｄｏｎｏｒ-ｅＮＢが専用シグナルを介してシステム情報をＲＮに知らせ、前記ＲＮが前記専用シグナルからシステム情報を読み取る。
【００３３】
具体的に、ＲＮが最初に電源投入されるとき、ＬＴＥに規定された送信周期に従ってシステム情報を読み取るが、前記ＲＮが最初に電源投入された後では、システム情報が更新されたときにＤｏｎｏｒ-ｅＮＢが専用シグナルを介してシステム情報をＲＮに知らせ、前記ＲＮが前記専用シグナルのみからシステム情報を読み取る。
【００３４】
専用シグナルとは、ＵＥを指定する専用シグナル又はＲＮを指定する専用シグナルである。
【００３５】
上記スキームを介して、前記ＲＮがシステム情報を受信することと送信することとの衝突を避けることができる。
【００３６】
本文に述べられる「ＲＮの無線フレーム境界のオフセット」又は「無線フレーム境界のオフセット」は、Ｄｏｎｏｒ-ｅＮＢ無線フレーム境界に対するＲＮの無線フレーム境界のオフセットである。
【００３７】
以下、図面及び具体的な実施例を組み合わせて本発明を詳しく説明する。
【００３８】
実施例一、技術的なスキーム一を採用する。
【００３９】
図３は、システム情報を受信及び送信するときに、如何に本発明を利用してＲＮのシステム情報の衝突を回避するかを示している。
【００４０】
この図において、各正方形は、タイムシーケンスでのＴＴＩ幅（１ｍｓ）を表す。各無線フレーム（１０ｍｓ）は１０個のサブフレーム（１ｍｓ）を含み、サブフレームは、それぞれ０〜９の番号が付される。
【００４１】
Ｄｏｎｏｒ-ｅＮＢがシステム情報を介してＲＮの無線フレーム境界のオフセットをＲＮに知らせる。
【００４２】
ＲＮがＲＮの無線フレーム境界のオフセットを含むシステム情報を受信し、自身の無線フレーム境界を確定して、ＬＴＥに規定された送信周期に従って、システム情報を受信及び送信する。
【００４３】
こうすると、ＲＮは、システム情報が同時に送受信される衝突を回避するためのずらされた時間領域でシステム情報を受信及び送信することができる。
【００４４】
ここで、前記システム情報は、既存のシステム情報に無線フレーム境界のオフセットを表すフィールドを加えてもよいし、無線フレーム境界を伝送するのに用いられる新しいシステム情報を定義してもよい。つまり、前記Ｄｏｎｏｒ-ｅＮＢがシステム情報を介してＲＮの無線フレーム境界のオフセットをＲＮに知らせることが、以下の方式のいずれかの一つで実現できる。
【００４５】
方式一、前記Ｄｏｎｏｒ-ｅＮＢが既存のシステム情報に無線フレーム境界のオフセットを表すフィールドを加え、前記ＲＮの無線フレーム境界のオフセットを当該フィールドに書き込み、かつ前記システム情報をＲＮへ送信することで、ＲＮの無線フレーム境界のオフセットをＲＮに知らせる。
【００４６】
方式二、前記Ｄｏｎｏｒ-ｅＮＢが前記ＲＮの無線フレーム境界のオフセットを無線フレーム境界のオフセットを伝送するのに用いられる新しいシステム情報に書き込み、かつ、前記新しいシステム情報をＲＮへ送信することで、ＲＮの無線フレーム境界のオフセットをＲＮに知らせる。
【００４７】
前記新しいシステム情報のスケジューリング情報は、Ｄｏｎｏｒ-ｅＮＢが送信したＳＩＢ１から提供され、システム情報ブロック（ＳＩＢ）マッピング情報、ＳＩのＳＩウィンドウの長さ及び送信周期を含む。具体的に、前記Ｄｏｎｏｒ-ｅＮＢが前記新しいシステム情報をＲＮへ送信する前に、前記Ｄｏｎｏｒ-ｅＮＢが前記ＲＮへ前記新しいシステム情報のスケジューリング情報を含むシステム情報ブロック１（ＳＩＢ１）を送信する。前記スケジューリング情報は、ＳＩＢマッピング情報、ＳＩウィンドウの長さ及び送信周期を含む。前記ＲＮが前記スケジューリング情報に基づいて前記新しいシステム情報を受信する。
【００４８】
実施例二、技術的なスキーム一を採用する。
【００４９】
図４に示すように、Ｄｏｎｏｒ-ｅＮＢが専用シグナルを介して、ＲＮの無線フレーム境界のオフセットをＲＮに知らせる。
【００５０】
ＲＮがＲＮの無線フレーム境界のオフセットを含む専用シグナルを受信し、自身の無線フレーム境界を確定して、ＬＴＥに規定された送信周期に従ってシステム情報を受信及び送信する。
【００５１】
この方法により、ＲＮは、システム情報が同時に送受信される衝突を回避するためのずらされた時間領域でシステム情報を受信及び送信することができる。
【００５２】
ここで、前記専用シグナルは、ＵＥを指定する専用シグナル又はＲＮを指定する専用シグナルであり、既存の専用シグナルに無線フレーム境界のオフセットを表すフィールドが加えられて形成されてもよいし、無線フレーム境界のオフセットを伝送するのに用いられる新しい専用シグナルを定義してもよい。つまり、前記Ｄｏｎｏｒ-ｅＮＢが専用シグナルを介してＲＮの無線フレーム境界のオフセットをＲＮに知らせることが、以下の方式のいずれかの一つで実現できる。
【００５３】
方式一、前記Ｄｏｎｏｒ-ｅＮＢが既存の専用シグナルに無線フレーム境界のオフセットを表すフィールドを加え、前記ＲＮの無線フレーム境界のオフセットを当該フィールドに書き込み、かつ、前記専用シグナルをＲＮへ送信することで、ＲＮの無線フレーム境界のオフセットをＲＮに知らせる。
【００５４】
方式二、前記Ｄｏｎｏｒ-ｅＮＢが前記ＲＮの無線フレームのオフセットを、無線フレーム境界のオフセットを伝送するのに用いられる新しい専用シグナルに書き込み、かつ、前記新しい専用シグナルをＲＮへ送信することで、ＲＮの無線フレーム境界のオフセットをＲＮに知らせる。
【００５５】
実施例三、技術的なスキーム二を採用する。
【００５６】
ＲＮがＲＮ自体のＲＮの無線フレーム境界のオフセットを予め設定する。
【００５７】
図５に示すように、ＲＮが無線フレーム境界のオフセットを専用シグナルを介してＤｏｎｏｒ-ｅＮＢに知らせる。
【００５８】
Ｄｏｎｏｒ-ｅＮＢが専用シグナルを受信した後、ＲＮの無線フレーム境界のオフセットに基づいて、次のスケジューリングタイミングを確定する（即ち、システム情報の送信時刻を再確定する）。
【００５９】
ここで、前記専用シグナルは、ＵＥを指定する専用シグナル又はＲＮを指定する専用シグナルであり、既存の専用シグナル中に無線フレーム境界のオフセットを表すフィールドが加えられて形成されてもよいし、無線フレーム境界のオフセットを伝送するのに用いられる新しい専用シグナルを定義してもよい。つまり、前記ＲＮが無線フレーム境界のオフセットを専用シグナルを介してＤｏｎｏｒ-ｅＮＢに知らせることが、以下の方式のいずれかの一つで実現できる。
【００６０】
方式一、前記ＲＮが既存の専用シグナルに無線フレーム境界のオフセットを表すフィールドを加え、無線フレーム境界のオフセットを当該フィールドに書き込み、かつ、前記専用シグナルをＤｏｎｏｒ-ｅＮＢへ送信することで、無線フレーム境界のオフセットをＤｏｎｏｒ-ｅＮＢに知らせる。
【００６１】
方式二、前記ＲＮが無線フレーム境界のオフセットを、無線フレーム境界のオフセットを伝送するのに用いられる新しい専用シグナルに書き込み、かつ、前記新しい専用シグナルをＤｏｎｏｒ-ｅＮＢへ送信することで、無線フレーム境界のオフセットをＤｏｎｏｒ-ｅＮＢに知らせる。
【００６２】
もちろん、ＲＮは他の方式を使って無線フレーム境界のオフセットをＤｏｎｏｒ-ｅＮＢに知らせても良いし、本発明はこれに限定されない。
【００６３】
実施例一、実施例二及び実施例三に述べた無線フレーム境界のオフセットの大きさはサブフレームを単位として、かつオフセットの大きさが無線フレーム長さの整数倍ではないことを保証する。
【００６４】
また、実施例一、実施例二及び実施例三に述べた無線フレーム境界のオフセットは異なるＲＮに対して同じものでもいいし、異なるものでもよい。
【００６５】
上記実施例一、実施例二及び実施例三における中継ノードは、送信部と受信部を含む。
【００６６】
前記ＲＮの無線フレームの境界と前記基地局の無線フレームの境界には一つのオフセットが存在する。
【００６７】
前記受信部は、ＬＴＥに規定された送信周期及び基地局の無線フレーム情報に基づいて、前記基地局により送信されたシステム情報を受信する。
【００６８】
前記送信部は、ＬＴＥに規定された送信周期及び前記ＲＮの無線フレーム情報に基づいて、ユーザー端末（ＵＥ）へシステム情報を送信する。
【００６９】
これにより、前記ＲＮがシステム情報を送信することと受信することとの衝突を避ける。
【００７０】
無線フレーム情報は無線フレーム番号とサブフレーム番号を含む。
【００７１】
実施例四、技術的なスキーム三を採用する。
【００７２】
ＲＮが当該ＲＮの無線フレーム境界とＤｏｎｏｒ-ｅＮＢの無線フレーム境界とを同期させ、ＲＮが最初に電源投入されるとき、ＬＴＥに規定された送信周期に従ってシステム情報を読み取る。
【００７３】
衝突を回避するために、図６に示すように、それ以降、ＲＮはもはやシステム情報をモニターせず、システム情報が更新されたときに、Ｄｏｎｏｒ-ｅＮＢが専用シグナルを介してシステム情報をＲＮに知らせる。前記ＲＮは、最初に電源投入された後、前記専用シグナルのみからシステム情報を読み取る。
【００７４】
ここで、Ｄｏｎｏｒ-ｅＮＢがブロードキャスト制御チャネル（Ｂｒｏａｄｃａｓｔ  Ｃｏｎｔｒｏｌ  Ｃａｎｎｅｌ：ＢＣＣＨ）修正周期内に前記専用シグナルを送信し、ＲＮが専用シグナルを受信した後、次のＢＣＣＨ修正周期の開始境界から、専用シグナルに基づいてシステム情報を更新する（即ち、元のシステム情報を入れ替える）。前記ＢＣＣＨ修正周期はシステム情報に含まれる。
【００７５】
前記専用シグナルは、ＵＥを指定する専用シグナル又はＲＮを指定する専用シグナルであり、更新された部分のシステム情報だけを含んでもよいし、全部のシステム情報を含んでもよい（更新された部分のシステム情報と、未更新部分のシステム情報との両方を含む）。
【００７６】
実施例四を実現する中継ノード（ＲＮ）は、当該中継ノードの無線フレーム境界と基地局（Ｄｏｎｏｒ-ｅＮＢ）の無線フレーム境界とを同期させる。前記ＲＮは、受信部とシステム情報読み取り部を含む。
【００７７】
前記受信部は、前記Ｄｏｎｏｒ-ｅＮＢにより送信された専用シグナルを受信する。
【００７８】
前記システム情報読み取り部は、前記受信部により受信された前記専用シグナルから更新されたシステム情報を読み取る。
【００７９】
これにより、前記ＲＮがシステム情報を受信することと送信することとの衝突を避ける。
【００８０】
好ましくは、前記受信部は、前記ＲＮが最初に電源投入された後、前記Ｄｏｎｏｒ-ｅＮＢにより送信された専用シグナルを受信し、しかも、前記ＲＮが最初に電源投入されるとき、前記Ｄｏｎｏｒ-ｅＮＢにより送信されたシステム情報を受信する。前記システム情報読み取り部は、前記ＲＮが最初に電源投入された後、前記受信部により受信された専用シグナルから更新されたシステム情報を読み取る。
【００８１】
好ましくは、前記中継ノードは、前記システム情報読み取り部が前記専用シグナルから更新されたシステム情報を読み取った後、次のＢＣＣＨ修正周期の開始境界から、システム情報を更新する更新部をさらに含む。
【００８２】
実施例四を実現する基地局は、判断部と送信部を含む。
【００８３】
前記判断部は、前記システム情報が更新されたと判断したとき、システム情報の更新を前記送信部に知らせる。
【００８４】
前記送信部は、システム情報が更新されたとき、前記中継ノードへ更新されたシステム情報を含む専用シグナルを送信する。
【００８５】
これにより、前記ＲＮがシステム情報を受信することと送信することとの衝突を避ける。
【００８６】
好ましくは、前記判断部は、中継ノードが最初に電源投入された後、前記送信部に電源投入の完了を知らせる。前記送信部は、前記ＲＮが最初に電源投入された後、システム情報が更新されたとき、前記中継ノードへ更新されたシステム情報を含む専用シグナルを送信する。
【００８７】
もちろん、本発明は他に多種の実施例がさらにあり、本発明の主旨及び本質を逸脱しない限り、当業者によって、本発明に基づく各種の対応する変更及び変形が可能であるが、これらの対応する変更及び変形は、添付される特許請求の範囲の保護範囲に属すべきである。
【００８８】
本発明は、ＲＮが同時にシステム情報を受信することと送信することとの衝突の問題を良く解決でき、ＲＮが同時に同じ周波数帯域を占拠して受信と送信できないことによる影響を充分に考慮し、ＲＮがシステム情報を受信するサブフレームを、ＲＮがシステム情報を送信するサブフレームからずらさせることで、または、システム情報の伝送方法を変えることで、ＲＮがシステム情報を受信することと送信することとの衝突を避ける。
【図１】
0005793135.tif 000002
【図３】
0005793135.tif 000003
【図４】
0005793135.tif 000004
【図５】
0005793135.tif 000005
【図６】
0005793135.tif 000006
【図２】
0005793135.tif 000007